(57)【要約】【課題】  内容物の使用に際して容器口部の一部のみを開放状態にし得ると共に、キャップの固定部で計量スプーンをすりきり可能なキャップにおいて、確実なタンパーエビデント性を発現できるキャップを提供することである。【解決手段】  頂板部及びスカート部から成るプラスチックキャップであって、該スカート部下端の内周面には容器口部外周面に形成された係合用突起と係合するための係合突起が形成され、該頂板部内面には直線状の薄肉部が形成され、該直線状の薄肉部の両端に対応するスカート部には該薄肉部から連続し下方に延びる破断可能な薄肉部が形成されていると共に、該直線状薄肉部及び破断可能な薄肉部により、直線状薄肉部と相対するスカート部外面に把持部が形成されている開封部とそれ以外の固定部に区画されており、且つスカート部の下端には弱化部を介してスカート部下端の外径以上の内径を有するタンパーエビデントバンドが形成されていることを特徴とするプラスチックキャップ【選択図】  図１
2006248588.tif 000002
【特許請求の範囲】
【請求項１】
頂板部及びスカート部から成るプラスチックキャップであって、該スカート部下端の内周面には容器口部外周面に形成された係合用突起と係合するための係合突起が形成され、該頂板部内面には直線状の薄肉部が形成され、該直線状の薄肉部の両端に対応するスカート部には該薄肉部から連続し下方に延びる破断可能な薄肉部が形成されていると共に、該直線状薄肉部及び破断可能な薄肉部により、直線状薄肉部と相対するスカート部外面に把持部が形成されている開封部とそれ以外の固定部に区画されており、且つスカート部の下端には弱化部を介してスカート部下端の外径以上の内径を有するタンパーエビデントバンドが形成されていることを特徴とするプラスチックキャップ。
【請求項２】
前記破断可能な薄肉部で区画される開封部及び固定部の容器口部との係合強度が異なり、開封部の容器口部との係合強度が固定部の係合強度に比して弱い請求項１記載のプラスチックキャップ。
【請求項３】
前記固定部の頂板部内面部には、直線状薄肉部と隣接する直線状の突起が形成されている請求項１又は２記載のプラスチックキャップ。
【発明の詳細な説明】
【技術分野】
【０００１】
本発明は、キャップの一部を容器口部に固定したまま他の一部を開封可能なタンパーエビデント性プラスチックキャップに関し、より詳細には、成形に際し後加工が不要な成形性に優れたタンパーエビデント性プラスチックキャップに関する。
【背景技術】
【０００２】
従来より、粉ミルク等の食品に適用される口径の大きい容器には、内容物の使用を開始する際に取り除く内蓋と、内蓋を外側から覆い且つ内蓋取外し後に容器を密封する外蓋が適用されている。このようなキャップにおいては、内容物の特性上、外蓋もタンパーエビデント性を有することが望まれており、種々の形態のものが提案されている。
【０００３】
例えば下記特許文献１には、スカート部の下端に破断可能な薄肉部を介して連結されたタンパーエビデントバンドが周方向に並ぶ複数の折返し羽根を下端に有して成る、フランジ付容器に適用されるオーバーキャップが記載されており、このオーバーキャップにおいては、折返し羽根先端が容器フランジ部に当接することにより、タンパーエビデントバンドをスカート部から取り除くことなく、オーバーキャップを容器から取外すことができないというものである。
【０００４】
【特許文献１】特開２００４−１６１３２５号公報
【発明の開示】
【発明が解決しようとする課題】
【０００５】
しかしながら、キャップのスカート部とタンパーエビデントバンドが軸方向に同じ線上に位置する場合には、タンパーエビデントバンドに加えた力がそのままスカート部に伝達されやすく、タンパーエビデントバンドを破断することなくキャップを容器口部から取外すことが可能になる。すなわち、上記特許文献１のように、折返し羽根を有する場合であっても、何らかの部材でこの折り返し羽根をスカート部内面側に押し付け、タンパーエビデントバンドを下方から押し上げれば、薄肉部を破断することなくキャップを容器口部から取外し得る可能性があり、このような可能性が完全に排除されたタンパーエビデント性を確保することは困難である。
【０００６】
またこのようなスカート部及びタンパーエビデントバンドが軸方向に同じ線上に位置するキャップにおいては、スカート部下端及びタンパーエビデントバンドの間に形成される薄肉部は、後加工により形成されるか或いは複雑な割り型を使用してキャップの成形と同時に形成されるため、キャップの成形性に劣るという欠点がある。
【０００７】
更にこのような容器に適用されるキャップは、容器の口径が大きいこと及び内容物の特性上、キャップを容器口部に固定する固定部と開閉可能な開閉部に区画して、内容物使用の際は容器口部の一部のみを開放状態にし得ると共に、キャップの固定部で計量スプーンをすりきることができることが望まれている。
【０００８】
従って本発明の目的は、内容物の使用に際して容器口部の一部のみを開放状態にし得ると共に、キャップの固定部で計量スプーンをすりきり可能なキャップにおいて、確実なタンパーエビデント性を発現できるキャップを提供することである。
本発明の他の目的は、キャップの成形に際し、後加工や複雑な割型等が不要であり、成形性に優れたキャップを提供することである。
【課題を解決するための手段】
【０００９】
本発明によれば、頂板部及びスカート部から成るプラスチックキャップであって、該スカート部下端の内周面には容器口部外周面に形成された係合用突起と係合するための係合突起が形成され、該頂板部内面には直線状の薄肉部が形成され、該直線状の薄肉部の両端に対応するスカート部には該薄肉部から連続し下方に延びる破断可能な薄肉部が形成されていると共に、該直線状薄肉部及び破断可能な薄肉部により、直線状薄肉部と相対するスカート部外面に把持部が形成されている開封部とそれ以外の固定部に区画されており、且つスカート部の下端には弱化部を介してスカート部下端の外径以上の内径を有するタンパーエビデントバンドが形成されていることを特徴とするプラスチックキャップが提供される。
【００１０】
本発明のプラスチックキャップにおいては、
１．破断可能な薄肉部で区画される開封部及び固定部の容器口部との係合強度が異なり、開封部の容器口部との係合強度が固定部の係合強度に比して弱いこと、
２．固定部の頂板部内面部には、直線状薄肉部と隣接する直線状の突起が形成されていること、
が好適である。
【発明の効果】
【００１１】
本発明によれば、確実なタンパーエビデント性を有するプラスチックキャップを提供することが可能になると共に、タンパーエビデント性を有するにもかかわらず、容器口部形状を単純な形状することができる。
また本発明のプラスチックキャップによれば、後加工や複雑な割型を必要せず、成形性に顕著に優れている。
【発明を実施するための最良の形態】
【００１２】
本発明のプラスチックキャップにおいては、スカート部下端に弱化部を介して設けられたタンパーエビデントバンドの内径がスカート部の外径以上の大きさを有していることが重要な特徴であり、これにより弱化部を破断することなく不正にキャップを開けることが不可能になる。すなわちスカート部とタンパーエビデントバンドが軸方向で同じ線上に位置していないため、タンパーエビデントバンドに作用した力は必ず弱化部に作用し、そのままスカート部に伝達してしまうことがなく、タンパーエビデントバンドに力が作用すると必ず弱化部が破断されるので、確実なタンパーエビデント性を発現することが可能となる。しかもタンパーエビデントバンドとそれに対応する容器口部に係止部を設ける必要がないという利点もある。
【００１３】
またこのようにタンパーエビデントバンドが直接容器口部との係合に関与しない場合には、スカート部下端に形成された開封用把持部を押し上げることにより、タンパーエビデントバンドを保持した状態でキャップが容器口部から取り除かれるおそれがあるが、本発明においては、頂板部内面に直線状の薄肉部が形成されていると共に、直線状の薄肉部の両端に対応するスカート部には該薄肉部から連続し下方に延びる破断可能な薄肉部が形成されているため、キャップ頂板部が直線状薄肉部をヒンジとして２つに折れ曲がり可能であり、このため開封用把持部を押し上げるとスカート部に形成された破断可能な薄肉部が必ず破断されて、タンパーエビデント性を発揮できるため、上述したような問題が生じることがない。
【００１４】
更にタンパーエビデントバンドの内径がスカート部の外径以上の大きさであることにより、スカート部下端とタンパーエビデントバンドの上部を繋ぐ弱化部がアンダーカットを形成することがないので、キャップ成形後に弱化部を後加工により形成することや複雑な割り型を使用する必要もなく、成形性に優れている。
【００１５】
本発明のプラスチックキャップは、直線状薄肉部及び破断可能な薄肉部より２つに区画されるが、その一方においてはスカート部下端の係合突起が容器口部外周面の係合用突起との係合強度が強く、他方ではスカート部下端の係合突起が容器口部外周面の係合用突起との係合強度が弱く形成されていることが好ましく、これにより係合強度の強い部分（固定部）を容器口部に固定した状態で、係合強度の弱い部分（開封部）を容易に開閉することができ、特に口径の大きい容器において、開閉操作の際の異物の混入等を有効に防止することが可能となるのである。
またこのように直線状薄肉部をヒンジとしてキャップが２つに折れ曲がり、一方は容器口部から離脱しないことにより、開蓋状態においてかかる直線状薄肉部によるヒンジ部で計量スプーンのすりきりを行うことも可能となるのである。
【００１６】
本発明のプラスチックキャップを添付図面に基づいて詳細に説明する。
図１は、本発明のプラスチックキャップの一例を容器口部に適用した場合の一部拡大側断面図であり、図２は、本発明のプラスチックキャップの一例の平面図であり、図３は、図２に示すキャップのＸ−Ｘ線方向から見た図であり、左半分が側断面図、右半分が側面図であり、図４は、図２に示すキャップのＹ−Ｙ線方向から見た見た図であり、左半分が側断面図、右半分が側面図であり、図５は、図２に示すキャップの底面図である。
尚、本発明のキャップを適用する容器は、容器口部外周面に係合用突起が形成されていることが特徴であり、図１に示す具体例では、容器口部３０の先端が、内蓋４０の口部先端と共に外側にカールされたカール部３１が形成されて、キャップと係合する係合用突起３２になっている。またこの内蓋４０は、落とし蓋のようになっており、内蓋のスカート部４１はカール部３１から下方に垂下し、スカート部４１の上部外面は容器口部３０の内周面３３と密着している。またスカート部４１の下端に形成される底面４２には、内容物取出用開口４３が形成され、図に示した具体例では、内容物取出用開口４３を上部から覆う剥離可能なシール蓋４４が形成されている。
【００１７】
全体を１で示す本発明のキャップは、概略的に言って頂板部２及びスカート部３から成り、スカート部３の下端４には複数個の橋絡部から成る弱化部５を介して、スカート部下端４の外径よりも大きい内径を有するタンパーエビデントバンド６が一体に形成されている。スカート部下端４の内面には、容器口部に形成されたカール部３１と係合する環状の係合突起７が形成されている。
頂板部内面には、内蓋スカート部内面と密着して密封性を確保するためのインナーリング８が形成されていると共に、頂板部の直径の位置に、頂板部２の外周縁まで延びる直線状の薄肉部９が形成されている。またスカート部３の内面には、直線状薄肉部９の両端と連続する、軸方向に延びる破断可能な薄肉部１０ａ，１０ｂが形成されている。
【００１８】
容器口部の係合用突起３２（図に示す具体例ではカール部３１により形成）と係合するスカート部下端４の内面に設けられた係合突起７は、上述したスカート部３内面に２箇所形成される破断可能な薄肉部１０ａ，１０ｂを境界に、容器口部の係合用突起との係合強度が異なっている。図２から明らかなように、図に示す具体例においては、スカート部外周で表される円弧１０ａ〜１０ｂのうち円弧１１ａに対応するスカート部に形成される係合突起７ａのキャップ内方への突出量が、円弧１０ａ〜１０ｂのうち円弧１１ｂに対応するスカート部に形成される係合突起７ｂのキャップ内方への突出量よりも小さく形成されていることにより、係合突起７ａと容器口部の係合用突起３２との係合強度が係合突起７ｂの係合強度よりも弱く形成され、この円弧１１ａに対応する部分が直線状薄肉部９をヒンジとして開封可能な開封部１２を形成し、他方容器口部との係合強度の強い部分は容器口部に固定される固定部１３とされている。
また開封部１２の直線状薄肉部９と相対する位置のスカート部下端には開封のためにキャップ外方に突出する開封用把持部１４が形成されている。
【００１９】
タンパーエビデントバンド６は、開封用把持部１４の直下において、切り欠き１５が形成されており、この切り欠き１５に隣接するタンパーエビデントバンドの端部にタンパーエビデントバンドを取外すための摘み１６が形成されている。
また頂板部３の外面には、環状のリブ１７が形成されており、この環状リブ１７は直線状薄肉部９と交差する位置では幅が狭くなっており、しかも開封部１２に対応する薄肉リブ１７ａは外周側に位置し、固定部１３に対応する薄肉リブ１７ｂは内周側に位置し、開封部１２が上方に押し上げられると、薄肉リブ１７ａの内周面に形成された微小凸部１９ａと薄肉リブ１７ｂの外周面に形成された微小凹部１９ｂが係合し、開封部１２を開封状態で係止することが可能となっている。
更に固定部１３の頂板部の内面には、直線状薄肉部９と平行な直線状突起１８が形成されており、かかる直線状突起１８によって計量スプーンのすりきり操作が効率よく行うことができる。
【００２０】
図１乃至５に示すキャップの開封操作を説明すると、まず、タンパーエビデントバンド６に形成された摘み１６を引っ張りスカート部下端４及びタンパーエビデントバンド６上端を繋ぐ橋絡部５を破断してタンパーエビデントバンド６をキャップ１から取り除く。次いで開封用把持部１４を手がかりにキャップの開封部１２を上方に押し上げることにより、係合突起７ａと容器口部との係合が解除されるが、固定部１３の係合は解除されないので、スカート部３に形成された破断可能な薄肉部１０ａ，１０ｂが破断され、キャップ開封部１２が直線状薄肉部９をヒンジとして旋回することにより開封され、次いで薄肉リブ１７ａの微小凸部１９ａと薄肉リブ１７ｂの微小凹部１９ｂが係合することにより開封部１２を開封状態で停止させることができ、内容物の取出しを容易に行うことが可能となる。
【００２１】
本発明のキャップは、上述した具体例に限定されるものではなく、種々の変更が可能である。
例えばキャップスカート部と容器口部との係合強度は、図１乃至図５に示す具体例では、スカート部に形成された係合突起のキャップ内方への突出量により調整していたが、開封部及び固定部でそれぞれ異なる数或いは周方向長さの係合突起を設けることによって係合突起と容器口部との周方向の係合量を調整することもできるし、或いは頂板部内面に形成するインナーリングの長さを固定部のみ長くして、容易に外れないようにすることによっても係合強度を調整することができる。
【００２２】
また、スカート部下端とタンパーエビデントバンドを繋ぐ弱化部は、図１乃至図５に示す具体例では、複数個の橋絡部により形成されていたが、勿論、破断可能な薄肉部により全周にわたってスカート部下端とタンパーエビデントバンドが繋がっていてもよい。
更に図１乃至図５では固定部の頂板部の内面に、直線状薄肉部と平行な直線状突起を形成していたが、これの直線状突起がなくても、開蓋状態において直線状薄肉部によるヒンジ部で計量スプーンのすりきり操作を行うことも可能である。
更にまた図１乃至図５では薄肉リブ１７ａ及び１７ｂに微小凹凸１９ａ及び１９ｂを形成し、これらを係合させることにより開封状態で係止させていたが、微小凹凸１９ａ及び１９ｂを形成することなく、薄肉リブ１７ａの内周面と薄肉リブ１７ｂの外周面を密接させて開封状態で係止してもよい。また、直線状薄肉部の位置によっては、特に薄肉として形状を変化させなくても、環状リブの端部同士を密着させることができ、開封状態で開封部を停止させることが可能となる。
【００２３】
図１乃至図５に示した本発明のキャップにおいては、頂板部内面に形成する直線状薄肉部は、頂板部の直径の位置に形成されているが、直径位置から若干平行移動した位置であってもよい。
またスカート部に形成される破断可能な薄肉部に連続してスカート部下端に切り欠きを形成することもできる。
【００２４】
本発明のキャップを適用する容器も、図１に示したものに限定されず、容器口部外周面にキャップと係合し得る係合用突起が形成されている限り種々の形態を採用でき、その材質も金属製或いはプラスチック製の何れであってもよい。また図１に示した例では、落とし蓋タイプの内蓋を使用していたが、容器口部に形成されたフランジ部にシールされるようなシール蓋であってもよいし、或いは内容物によっては必ずしも内蓋を必要としない。
【００２５】
本発明のプラスチックキャップは、ポリエチレン、ポリプロピレン等、従来より樹脂製キャップに用いられている公知の樹脂を用いて、射出成形、圧縮成形等の従来公知の製法により複雑な割型等を用いることなく一体的に成形することができ、しかも後加工の必要もない。
【図面の簡単な説明】
【００２６】
【図１】本発明のプラスチックキャップの一例を容器口部に適用した場合の一部拡大側断面図。
【図２】本発明のプラスチックキャップの一例の平面図。
【図３】図２に示すキャップのＸ−Ｘ線方向から見た図であり、左半分が側断面図、右半分は側面図。
【図４】図２に示すキャップのＹ−Ｙ線方向から見た図であり、左半分が側断面図、右半分は側面図
【図５】図２に示すキャップの底面図。
【符号の説明】
【００２７】
１  キャップ、２  頂板部、３  スカート部、４  スカート部下端、５  弱化部、
６  タンパーエビデントバンド、７  係合突起、８  インナーリング、
９  直線状薄肉部、１０  破断可能な薄肉部、１２  開封部、１３  固定部、
１４  開封用把持部、１７  環状リブ、１８  直線状突起
【図１】
2006248588.tif 000003
【図２】
2006248588.tif 000004
【図３】
2006248588.tif 000005
【図４】
2006248588.tif 000006
【図５】
2006248588.tif 000007